(57)【要約】【課題】複数の単位ケーブルからなる多芯ケーブルにおいて、それら単位ケーブル間の特性を揃えることができるようにする。【解決手段】多芯ケーブル１は複数の単位ケーブル１１からなり、その両端にコネクタ３、５が接続される。多芯ケーブル１の一方の端から突出する複数の単位ケーブル１１は、端から１番、２番……と順序付けるとともに端のものから長さを順次長くして一方のコネクタ３のコネクタ基板９に接続する。多芯ケーブル１の他端で突出する複数の単位ケーブル１１は、その順序付けに対応した複数の単位ケーブル１１の長さを逆に順次短くして他方のコネクタ５に接続する。【選択図】  図７
2005025971.tif 000002
【特許請求の範囲】
【請求項１】
複数の単位ケーブルを１本にまとめて被覆した多芯ケーブルにおける前記単位ケーブル端部を前記被覆から露出させる第１の工程と、
前記単位ケーブルを前記多芯ケーブル端部において順序づけて平面的に配列するとともに、配列された前記単位ケーブル端部を所定数毎に第１の面とこれに間隔を置いた第２の面に分けて配置する第２の工程と、
複数の回路パターンを両面に有しコネクタを形成するコネクタ基板を前記第１、第２の面に分けた前記単位ケーブル端部間に位置させる第３の工程と、
前記単位ケーブル端部の導体部を前記コネクタ基板の片面ずつ前記回路パターンに電気的に接続する第４の工程と、
を具備することを特徴とするコネクタ基板付き多芯ケーブルの製造方法。
【請求項２】
前記第２の工程は、前記単位ケーブル端部を１本毎に前記第１、第２の面に分けて位置するものである請求項１記載のコネクタ基板付き多芯ケーブルの製造方法。
【請求項３】
前記単位ケーブルは同軸ケーブルであり、前記第４の工程は、前記単位ケーブル端部における芯線およびシールド部を前記コネクタ基板で片面ずつ前記回路パターンに電気的に接続する請求項１又は２記載のコネクタ基板付き多芯ケーブルの製造方法。
【請求項４】
複数の単位ケーブルからなる多芯ケーブルの両端に、コネクタを形成するコネクタ基板を各々接続してなるコネクタ基板付き多芯ケーブルにおいて、
前記多芯ケーブルの一方の端にて、複数の前記単位ケーブルが順序付けられるとともに長さを順次長くして一方の前記コネクタ基板に端から配列接続され、前記多芯ケーブルの他方の端にて、前記順序付けに対応した複数の前記単位ケーブルが長さを順次短くして他方の前記コネクタ基板に端から配列接続されてなることを特徴とするコネクタ基板付き多芯ケーブル。
【発明の詳細な説明】
【０００１】
【発明の属する技術分野】
本発明はコネクタ基板付き多芯ケーブルの製造方法およびコネクタ基板付き多芯ケーブルに係り、特に、コンピュータや高周波通信機器との接続に用いる多芯ケーブルの製造方法および多芯ケーブルの改良に関する。
【０００２】
【従来の技術】
コンピュータや高周波通信機器との接続には、図８に示すように、多芯ケーブル１の両端に比較的扁平なコネクタ３、５を接続したものが多用されている。
【０００３】
多芯ケーブル１の両端にコネクタ３、５を接続する構成は、図９に示すように、コネクタ３、５を形成するコネクタ本体７に支持され背面側に延びるコネクタ基板９の両面に、多芯ケーブル１を形成する２５本程度の複数の単位ケーブル１１を１２本と１３本に分けて平面的に接続するものが良く知られている。なお、図９はコネクタ基板９の片面を簡略化して示している。
【０００４】
すなわち、複数の単位ケーブル１１端末をコネクタ基板９の両面に載置し、コネクタ基板９に形成した回路パターン１３に単位ケーブル１１の芯線１５とこの芯線１５を絶縁層（図示せず。）を介して覆うシールド部１７とを半田付けし、図１０に示すように、コネクタ基板９の両面に電気的に半田付け接続してなるものである。
【０００５】
なお、図１０において符号１９は単位ケーブル１１の被覆、符号２１、２３は多芯ケーブル１のシールド部と外被覆であり、図９および図１０において多芯ケーブル１を構成する単位ケーブル１１は一部省略して図示されている。
【０００６】
コネクタ基板９の回路パターン１３は、図９および図１１に示すように、コネクタ本体７の内部まで延び、コネクタ本体７にあってコネクタ基板９とは反対側に設けられた複数の接続孔２５内に配置した接続端子（隠れて見えない。）に接続されている。
【０００７】
コネクタ３、５はそれら接続孔２５を介して図示しないコンピュータのコネクタと接続される。
【０００８】
そして、従来、多芯ケーブル１を形成する複数の単位ケーブル１１をコネクタ基板９に接続する方法としては、図１２に示すように、多芯ケーブル１の先端から外被覆２３を剥ぎ取って単位ケーブル１１を長く露出させ、公知の検査装置を用いて単位ケーブル１１の順序（順番）を検出するとともに第１、第２のグループＧ１、Ｇ２に分けて各々配列し、第１、第２のグループＧ１、Ｇ２に分けた単位ケーブル１１を整列板２７、２９上に端から載置してテープ３１、３３などで仮止めし、一方の整列板２７に整列した第１のグループＧ１に属する単位ケーブル１１をコネクタ基板９の片面（表面）に載せて半田付け接続した後、コネクタ基板９を裏返し、このコネクタ基板９の他方の面（裏面）に対して、他方の整列板２９に整列した第２のグループＧ２に属する単位ケーブル１１を載せて半田付け接続する手順が採用されていた。
【０００９】
【発明が解決しようとする課題】
しかしながら、上述したコネクタ基板付き多芯ケーブルの製造方法では、多芯ケーブル１を形成する複数の単位ケーブル１１を第１、第２のグループＧ１、Ｇ２に分けて各々整列板２７、２９上に仮止めしてコネクタ基板９を接続するから、外被覆２１を長く剥ぎ取って単位ケーブル１１を長く露出させる必要があり、コネクタ基板９を接続した後に銅テープなどを巻いて単位ケーブル１１のシールド効果を確保した後、再び外被覆２１を元に戻す必要があり、組み立てが煩雑で、余分な材料や作業を必要とするうえ見栄えも劣る難点がある。
【００１０】
しかも、単位ケーブル１１を長く露出させるとともに、整列板２７近傍に配置して接続したコネクタ基板９を裏返して整列板２９近傍に移動させる工程があることから、コネクタ基板９との接続時に個々の単位ケーブル１１の長さが不揃いとなったり、位置がまとまり難くなって単位ケーブル１１毎の遅延時間が不揃いとなったり所望の特性に収まり難くなり、多芯ケーブル１を伝送する信号の波形が乱れたり損失が大きくなり易い。
【００１１】
さらに、単位ケーブル１１を別個の整列板２７、２９上にテープ３１、３３で仮止めすることも行われるが、単位ケーブル１１を第１、第２のグループに分けて各々整列板２７、２９上に仮止めするから、２枚のテープ３１、３３が必要となり、製造後に発生するゴミも減少し難い。
【００１２】
本発明はそのような課題を解決するためになされたもので、組み立てが簡単で余分な材料を必要とせず、多芯ケーブルを形成する複数の単位ケーブル間の特性を一定にすることが容易で、伝送信号の波形乱れや損失を小さく抑えることが可能なコネクタ基板付き多芯ケーブルの製造方法を提供するものである。
【００１３】
また、本発明は多芯ケーブルを形成する複数の単位ケーブル間の特性を揃えることが容易なコネクタ基板多芯ケーブルの提供を目的とする。
【００１４】
【課題を解決するための手段】
そのような課題を解決するために、本発明に係るコネクタ基板付き多芯ケーブルの製造方法は、複数の単位ケーブルを１本にまとめて被覆した多芯ケーブルにおける単位ケーブル端部をその被覆から露出させる第１の工程と、それら単位ケーブルを多芯ケーブルの端部において順序づけて平面的に配列するとともに、それら単位ケーブルの端部を所定数毎に第１の面とこれに間隔を置いた第２の面に分けて配置する第２の工程と、複数の回路パターンを両面に有しコネクタを形成するコネクタ基板をそれら第１、第２の面に分けた単位ケーブル端部間に位置させる第３の工程と、それら単位ケーブル端部の導体部をそのコネクタ基板の片面ずつそれら回路パターンに電気的に接続する第４の工程とを具備している。
【００１５】
そして、本発明では、上記単位ケーブル端部を１本毎に上記第１、第２の面に分けて位置するよう上記第２の工程を構成することも可能である。
【００１６】
さらに、本発明は、上記単位ケーブルとして同軸ケーブルを用い、上記第４の工程は、その単位ケーブル端部における芯線およびシールド部を上記コネクタ基板で片面ずつ回路パターンに電気的に接続する工程であっても良い。
【００１７】
また、本発明に係るコネクタ基板付き多芯ケーブルは、複数の単位ケーブルからなる多芯ケーブルの両端に、コネクタを形成するコネクタ基板を各々接続してなるものであり、その多芯ケーブルの一方の端にて、それら単位ケーブルが順序付けられるとともに長さを順次長くして一方のコネクタ基板に端から配列接続され、その多芯ケーブルの他方の端にて、順序付けに対応したそれら単位ケーブルが長さを順次短くして他方のコネクタ基板に端から配列接続されて構成されている。
【００１８】
【発明の実施の形態】
以下、本発明の実施の形態を図面を参照して説明する。なお、従来例と共通する部分には同一の符号を付す。
【００１９】
まず、本発明に係るコネクタ基板付き多芯ケーブルの製造方法から説明する。
図１〜図６は本発明に係るコネクタ基板付き多芯ケーブルの製造方法を示す工程図である。
【００２０】
多芯ケーブル１は、図１に示すように、芯線１５の周囲を絶縁層（見えない。）を介してシールド部１７および被覆１９で覆った単位ケーブル１１を複数、例えば２５本程度を１本にまとめ、その外周をシールド部２１で覆うとともに外被覆２３で更に覆った公知の同軸ケーブル（又はシールド線）構成を有している。
【００２１】
多芯ケーブル１について、外被覆２３およびシールド部２１を所定長だけ除去してすべての単位ケーブル１１の端部を露出させ、各単位ケーブル１１について被覆１９を除去して導体部としてのシールド部１７および芯線１５を露出処理する（第１の工程）。
【００２２】
なお、各単位ケーブル１１において、シールド部１７と芯線１５とを電気的に絶縁させた状態で露出処理することは言うまでもない。
【００２３】
ついで、図示はしないが、公知の検査装置を用い、多芯ケーブル１の両端における各単位ケーブル１１の芯線１５間の導通を調べるなどして多芯ケーブル１の端部で、全ての単位ケーブル１１の順序を検出するとともに、図２Ａに示すように、その順序で整列板３５上に端から全ての単位ケーブル１１を平面的に載置してシールド部１７と芯線１５とを突出させ、粘着性のテープ３７などで整列板３５に仮止めする（第２の工程）。
【００２４】
細長い整列板３５は、図２Ｂに示すように、単位ケーブル１１の配列ピッチで、しかも単位ケーブル１１の横半断面程度の形状で形成された複数の凹部３９をその長手方向を横切るように有しており、単位ケーブル１１はそれら凹部３９に１本ずつ収納するようにして位置決め配列される。
【００２５】
次に、図３に示すように、単位ケーブル１１の１個置きのピッチで凸部４１を複数立設させた変位ジグ４３を用意し、この変位ジグ４３を整列板３５の長手方向側面に位置させてその下方から上方に向けて１個置きの単位ケーブル１１を凸部４１の頂部で上方へ変位させ（図３中の破線参照）、１個置き単位ケーブル１１を第１の面Ｓ１とこれに平行な間隔を置いた第２の面Ｓ２に分けて配置する（第２の工程）。
【００２６】
そして、それら、単位ケーブル１１の位置をそのままにして図４および図５に示すように、第１の面Ｓ１と第２の面Ｓ２の間にコネクタ３、５のコネクタ基板９を挿入し、単位ケーブル１１の芯線１５やシールド部１７を半田付けする。なお、図４および図５では一部の単位ケーブル１１および整列板３５の図示を省略したが（後述する図６も同様である。）、整列板３５はコネクタ基板９とシールド部２１の間に位置する。
【００２７】
コネクタ基板９は、上述した図９および図１１に示したように、コネクタ３、５を形成するコネクタ本体７に支持され背面側に延びており、芯線１５やシールド部１７に接続される回路パターン１３を有しており、それら回路パターン１３に対して単位ケーブル１１の芯線１５やシールド部１７が、コネクタ基板９の片面ずつ両面で半田付け接続され、コネクタ基板付き多芯ケーブルが完成する（第３の工程）。
【００２８】
すなわち、第１の面Ｓ１および第２の面Ｓ２が、コネクタ基板９の表裏両面又はこれより若干広い平面に相当する。
【００２９】
コネクタ基板９には、図６に示すように、芯線１５やシールド部１７に接続される回路パターン１３が表裏の対向面で交互にピッチをずらせて配列されており、単位ケーブル１１はその端から例えばコネクタ基板９の表側、裏側、表側、裏側の順序でピッチをずらせて交互に配列接続されている。
【００３０】
このように本発明のコネクタ基板付き多芯ケーブルの製造方法は、複数の単位ケーブル１１を１本にまとめた多芯ケーブル１の端部において単位ケーブル１１端部を被覆から露出させ（第１の工程）、それら単位ケーブル１１を多芯ケーブル１の端部において順序づけて整列板３５上に平面的に配列し、配列されたそれら単位ケーブル１１端部を変位ジグ４３を用いて１本毎に第１の面Ｓ１とこれに間隔を置いた第２の面Ｓ２に分けて配置し（第２の工程）、複数の回路パターン１３を両面に配列形成しコネクタ３、５を構成するコネクタ基板９をそれら第１、第２の面Ｓ１、Ｓ２間にて単位ケーブル１１端部間に位置させ（第３の工程）、それら単位ケーブル１１の芯線１５およびシールド部１７をコネクタ基板９で片面ずつそれら回路パターン１３に半田付け接続する（第４の工程）構成を有している。
【００３１】
そのため、従来のように、多芯ケーブル１を形成する複数の単位ケーブル１１を第１、第２のグループに分けて各々整列板２７、２９上に仮止めする必要がないので、多芯ケーブル１の被覆２１を長く剥ぎ取って単位ケーブル１１を長く露出させる必要がなく、コネクタ基板９を接続した後に銅テープなどを巻いたり再び外被覆２１を元に戻す必要もなくなり、組み立てが簡単で余分な材料や作業も不要となり、組み立て効率が上するうえ、製造コストを低く抑えることが容易である。
【００３２】
しかも、多芯ケーブル１から短く単位ケーブル１１を露出可能となるうえ、単位ケーブル１１を一度に配列するとともに第１、第２の面Ｓ１、Ｓ２に単位ケーブル１１を変位させてコネクタ基板９を挿入して接続するから、コネクタ基板９との接続時に個々の単位ケーブル１１の長さや位置が揃い易くなり、単位ケーブル１１毎の遅延時間が揃って所望の特性に収まり易くなり、多芯ケーブル１を伝送する信号の波形が乱れ難く、損失を低く抑えることができる。
【００３３】
さらに、単位ケーブル１１を１個の整列板３５上に１枚のテープ３７で仮止めすれば良いから、不要なテープの使用が減って製造後に発生するゴミも減少する。
【００３４】
しかも、第２の工程で、単位ケーブル１１を１本置きに第１、第２の面Ｓ１、Ｓ２に分けて配置するとともに、第４の工程で、単位ケーブル１１がコネクタ基板９の表裏対向面で１本ずつ交互に配列接続されるから、コネクタ基板９における隣合う回路パターン１３が表裏の対向面に交互に分散形成され、回路パターン１３の形成ピッチを狭くすることが可能となり、コネクタ基板９を小型化できる利点がある。
【００３５】
なお、本発明では、単位ケーブル１１を複数の所定本ずつ第１、第２の面Ｓ１、Ｓ２に分けて配置することも可能であるし、上述した第１から第４の工程を可能な限り順序を入れ替えることも可能である。
【００３６】
次に、本発明に係るコネクタ基板付き多芯ケーブルの実施の形態を説明する。
この構成は、図７に示すように、多芯ケーブル１の両端にコネクタ３、５のコネクタ基板９を各々接続してなるものであるが、その接続形態を工夫したものである。
【００３７】
すなわち、多芯ケーブル１の一方の端で突出する複数の単位ケーブル１１の芯線やシールド部（いずれも図示せず。）が端から１番、２番……と順序付けられるとともに端のものから長さを順次長くして一方のコネクタ３のコネクタ基板９の回路パターン（図示せず。）に端から配列接続されている。
【００３８】
たとえば１番目の単位ケーブル１１が、コネクタ３のコネクタ基板９の端に多芯ケーブル１の端から最も短く突出して接続され、２番目、３番目と順次長く突出して接続されている。
【００３９】
他方、多芯ケーブル１の他端で突出する複数の単位ケーブル１１について、順序付けに対応した複数の単位ケーブル１１が長さを順次短くして他方のコネクタ５のコネクタ基板９に端から配列接続されて形成されている。
【００４０】
すなわち、たとえば１番目の単位ケーブル１１が、コネクタ３のコネクタ基板９の端に多芯ケーブル１の端から最も長く突出して接続され、２番目、３番目と順次短く突出して接続されている。
【００４１】
このように構成されたコネクタ基板付き多芯ケーブルでは、多芯ケーブル１の一方の端では複数の単位ケーブル１１が順次長さを長くして突出されてコネクタ基板９に接続されるが、多芯ケーブル１の他方の端では逆に順次短く突出され、個々の単位ケーブル１１はコネクタ３、５間において長さが同じように揃うことになる。
【００４２】
そのため、複数の単位ケーブル１１間の特性を揃えることが容易となり、伝送信号の波形乱れや損失を小さく抑えることが可能となる。
【００４３】
ところで、上述した実施の形態では、多芯ケーブル１を形成する単位ケーブル１１が同軸ケーブルであるとして説明したが、本発明ではこれに限定されず、単位ケーブル１１は単に芯線１５絶縁層で被覆した被覆導線であっても良いが、本発明は高周波パルス信号や高周波アナログ信号を伝送する多芯ケーブル１においてその効果を発揮する。
【００４４】
【発明の効果】
以上説明したように本発明に係るコネクタ基板付き多芯ケーブルの製造方法は、組み立てが簡単で余分な材料を必要とせず、多芯ケーブルを形成する複数の単位ケーブル間の特性を一定にすることが容易で、伝送信号の波形乱れを小さく抑えることが容易となる。
そして、本発明の製造方法において、上記単位ケーブルを１本毎に当該端部を上記第１、第２の面に分けて配置するよう上記第２の工程を構成すれば、コネクタ基板の小型化を介して全体構成の小型化を図ることができる。
さらに、本発明の製造方法において、上記単位ケーブルとして同軸ケーブルを用い、その単位ケーブルの当該端部における芯線およびシールド部を上記コネクタ基板で片面ずつ回路パターンに電気的に接続するよう上記第４の工程を構成すれば、高周波パルス信号や高周波アナログ信号の伝送にその効果を発揮する。
また、本発明として、多芯ケーブルの一方の端にて、複数の単位ケーブルを順序付けるとともに長さを順次長くして一方のコネクタ基板に端から接続し、その多芯ケーブルの他方の端にて、順序付けに対応したそれら単位ケーブルの長さを順次短くして他方のコネクタ基板に端から接続してコネクタ基板付き多芯ケーブルを構成すると、複数の単位ケーブル間の特性を揃えることが容易となって伝送信号の波形乱れや損失を小さく抑えることが可能となる。
【図面の簡単な説明】
【図１】本発明に係るコネクタ基板付き多芯ケーブルの製造方法を説明する工程図である。
【図２】本発明に係るコネクタ基板付き多芯ケーブルの製造方法を説明する工程図である。
【図３】本発明に係るコネクタ基板付き多芯ケーブルの製造方法を説明する工程図である。
【図４】本発明に係るコネクタ基板付き多芯ケーブルの製造方法を説明する工程図である。
【図５】本発明に係るコネクタ基板付き多芯ケーブルの製造方法を説明する工程図である。
【図６】本発明に係る製造方法で製造したコネクタ基板付き多芯ケーブルを説明する図である。
【図７】本発明に係るコネクタ基板付き多芯ケーブルの実施の形態を説明する図である。
【図８】コネクタ基板付き多芯ケーブルを示す概略図である。
【図９】コネクタ基板付き多芯ケーブルにおける多芯ケーブルとコネクタの接続構成を説明する図である。
【図１０】コネクタ基板付き多芯ケーブルにおける多芯ケーブルとコネクタの接続構成を説明する図である。
【図１１】コネクタの構成を説明する概略図である。
【図１２】コネクタ基板付き多芯ケーブルにおける従来の製造方法を説明する図である。
【符号の説明】
１  多芯ケーブル
３、５  コネクタ
７  コネクタ本体
９  コネクタ基板
１１  単位ケーブル（同軸ケーブル）
１３  回路パターン
１５  芯線（導体部）
１７、２１  シールド部（導体部）
１９  被覆
２３  外被覆
２５  接続孔
２７、２９、３５  整列板
３１、３３、３７  テープ
３９  凹部
４１  凸部
４３  変位ジグ
Ｓ１  第１の面
Ｓ２  第２の面
【図１】
2005025971.tif 000003
【図２】
2005025971.tif 000004
【図３】
2005025971.tif 000005
【図４】
2005025971.tif 000006
【図５】
2005025971.tif 000007
【図６】
2005025971.tif 000008
【図７】
2005025971.tif 000009
【図８】
2005025971.tif 000010
【図９】
2005025971.tif 000011
【図１０】
2005025971.tif 000012
【図１１】
2005025971.tif 000013
【図１２】
2005025971.tif 000014